(57)【要約】  発光ダイオード１３と、透光性カバー３１と、前記発光ダイオード１３が搭載された伝熱性の基板１２と、前記基板１２を支持する伝熱性の第１の部材１７と、前記第１の部材１７から透光性カバー３１に向けて延び第１の部材１７からの熱を伝達する第２の部材１９と、第１の部材１７に対して透明性カバー３１と反対側に設けられ、発光ダイード１３の電源を収容する空間を形成する第３の部材４０とを有する。第４の部材１９１の反射面１９ａは曲面になっている。
2017002960.tif 000002
【特許請求の範囲】
【請求項１】
発光ダイオードと、
前記発光ダイオードからの光を透光する透光性カバーと、
前記発光ダイオードが搭載された伝熱性の基板と、
前記基板を支持する伝熱性の第１の部材と、
前記第１の部材から前記透光性カバーに向けて延び前記第１の部材からの熱を伝達する第２の部材と、
前記第１の部材に対して前記透明性カバーと反対側に設けられ、前記発光ダイードの電源を収容する空間を形成する第３の部材と
を有し、
前記第２の部材の前記発光ダイオード側の面は、前記発光ダイオードからの光を前記透光性カバーに指向する姿勢で配置され、
前記発光ダイオード側の面の少なくとも一部は光反射特性を有する曲面になっている
照明装置。
【請求項２】
前記第２の部材は、
前記第１の部材から前記透光性カバーに向けて延在する第４の部材と、
前記第４の部材の前記第１の部材と反対側の端部から前記透明性カバーと対向して延在する第５の部材と
を有し、
前記曲面は、前記第４の部材に形成されている
請求項１に記載の照明装置。
【請求項３】
前記第５の部材は、前記透光性カバーと対向して位置し、前記発光ダイオードからの光のうち前記透光性カバーの内面で反射した光を反射して前記透光性カバーを通過させる反射面を有する
請求項２に記載の照明装置。
【請求項４】
発光ダイオードと、
前記発光ダイオードからの光を透光する透光性カバーと、
前記発光ダイオードが搭載された伝熱性の基板と、
前記基板を支持する伝熱性の第１の部材と、
前記第１の部材から前記透光性カバーに向けて延び前記第１の部材からの熱を伝達する第２の部材と、
前記第１の部材に対して前記透明性カバーと反対側に設けられ、前記発光ダイードの電源を収容する空間を形成する第３の部材と
を有し、
前記第２の部材の前記発光ダイオード側の面は、前記発光ダイオードからの光を前記透光性カバーに指向する姿勢で配置され、
前記発光ダイオード側の面の少なくとも一部は光反射特性を有する凹凸面になっている
照明装置。
【請求項５】
前記第２の部材は、
前記第１の部材から前記透光性カバーに向けて延在する第４の部材と、
前記第４の部材の前記第１の部材と反対側の端部から前記透明性カバーと対向して延在する第５の部材と
を有し、
前記凹凸面は、前記第４の部材に形成されている
【請求項６】
前記第５の部材は、前記透光性カバーと対向して位置し、前記発光ダイオードからの光のうち前記透光性カバーの内面で反射した光を反射して前記透光性カバーを通過させる反射面を有する
請求項５に記載の照明装置。
【請求項７】
円筒状の前記閉空間の横断面において、前記横断面に沿った前記透光性カバーの中心線上、あるいは当該中心線に対しに線対称に前記発光ダイオードが位置し、
前記第２の部材は、前記中心線に対して線対称である
請求項１または請求項４に記載の照明装置。
【請求項８】
円筒状の前記閉空間の横断面において、前記横断面に沿った前記透光性カバーの中心線上、あるいは当該中心線に対しに線対称に前記発光ダイオードが位置し、
前記第２の部材は、前記中心線に対して一方の側にのみ設けられている
請求項１または請求項４に記載の照明装置。
【発明の詳細な説明】
【技術分野】
【０００１】
本発明は、放熱・反射の構造に特徴を有する器具一体式照明装置等の照明装置に関する。
【背景技術】
【０００２】
ＬＥＤの発光原理は、半導体素子に電圧をくわえた際に光るもので、素子を基板上に実装し、電気を通すことは周知であるが、電気をＬＥＤ素子に通す際に発生する熱を放熱するためにはヒートシンクが不可欠である。【０００３】
ＬＥＤは、従来の照明器具と比較した場合、消費電力を減らして従来の白熱灯や蛍光灯と同程度の照度・光エネルギーを出すことが可能で、今後さらに普及していくことが期待されている。
特に、蛍光灯の代替光源として、蛍光灯と同様の外観を有し、既設の蛍光灯器具にもそのまま取り付けることが可能な、直管型のＬＥＤ照明管はその代表的なＬＥＤ光源である。【０００４】
一般的に、ＬＥＤ照明管は、一般照明用と植物栽培用に大別され、それぞれ半透明、あるいは透明のガラスや合成樹脂からなる発光面とＬＥＤ基盤の放熱のためのヒートシンクから成る円筒状の管体である。管体の内部は、一方側の面にＬＥＤ素子が所定の間隔で実装されており、電流を通す回路基板を備えている。
ＬＥＤ照明管は、全体的に直管型の蛍光灯と同様の形状を有しており、管体の両端には口金が装着され、器具に接続するための端子が突出形成されている。
上記構成により、ＬＥＤ照明管は、新設はもちろん既設の蛍光灯器具に取付可能な構成となっており、そこから電源供給を受けて、管内部のＬＥＤを発光させることができる。【０００５】
このような直管形のＬＥＤ照明管に関する発明として、例えば、特開２０１１−１１３８７６号公報（特許文献１）には、ポリカーボネート製の円筒状の管体と、その管体の周面の一部に設けられた開口部に装着されるアルミニウム製のヒートシンクとその管体内に実装される複数のＬＥＤとを備えるＬＥＤ照明管が開示されている。【０００６】
また、特開２０１３−２１９００４号公報（特許文献２）には、半透明のケーシングとこのケーシングに結合された保持部を有する放熱板とにより内部空洞を有する環状構造を構成し、放熱板の保持部に熱伝導的に固定される回路基板と、その回路基板に取り付けられた1つ以上のＬＥＤ光源と、管状構造の両端部に適合してはめられた2つの端部キャップとを備えるＬＥＤ照明管が開示されている。【０００７】
特許文献２では、従来の蛍光灯に代わり蛍光灯器具に取り付けて使用することができ、広角度に均一に照射している。
【発明の概要】
【発明が解決しようとする課題】
【０００８】
しかしながら、特許文献1や特許文献２のようなＬＥＤ照明管では、ＬＥＤが発光する際の熱の放熱処理が不十分で、放熱材およびデザインに問題がある。
すなわち、熱伝導的にはヒートシンク材料を鉄にすることが望ましいが、比重が高いことから、ＬＥＤ直管の重量限度５００ｇ（一般的な１．２ｍ直管）をはるかに超えてしまい、この条件をクリヤーする材料として、例えば、ＬＥＤ直管全体の重さを５００ｇ以内に抑えられるアルミニウムがヒートシンク材料として使われている。しかし、アルミニュームの熱伝導率は鉄の約３倍であり、ＬＥＤの熱の放熱が不十分でＬＥＤの寿命を延ばすことが難しいばかりでなく、点灯中のＬＥＤ直管に人間が触れる際に注意して触る必要があった。【０００９】
一方、ＬＥＤ直管の明るさを数値で表したルーメン（ｌｍ）は、全ての方向に放射状に照射される光の総量（全光束）をまとめて表しているので、光源直下やその周辺の明るさが、実際には、ルーメンの数値通りにはならず、暗くなることも多々ある。
このように、ＬＥＤ直管は、広範囲に照射する事には向いているが、光源直下やその周辺空間等の特定の方向に光量を必要とする場合、すなわち、狭角（１８０〜９０度）の配光が要求される場合には必ずしも適していないことになる。【００１０】
また、現在、器具一体型ＬＥＤベース照明は、日本のみならずほぼ全世界で、同一の構造を有する器具になっており、数年前から市場に供給されてるが、次に示す多くの課題がある。
［１］蛍光灯に負けない照度・光合成有効光量子束密度（ＰＰＦＤ）を、蛍光灯の半分程度の消費電力で可能にする、省エネ・高機能性
［２］種々の用途別の器具要求に対応化可能なデザイン
［３］低コストで製造可能で、かつ世界中の同タイプ器具に適用する、ユニバーサルな一体型器具
［４］器具内のＬＥＤ基板あるいはＬＥＤ電源の交換が、器具ケースをそのままの状態で可能なシステム【００１１】
そこで、本発明は、上記の課題をかんがみてなされたものであり、その目的は、高い放熱性と照度を得ることができる照明装置を提供することにある。
【課題を解決するための手段】
【００１２】
第１の発明の照明装置は、発光ダイオードと、前記発光ダイオードからの光を透光する透光性カバーと、前記発光ダイオードが搭載された伝熱性の基板と、前記基板を支持する伝熱性の第１の部材と、前記第１の部材から前記透光性カバーに向けて延び前記第１の部材からの熱を伝達する第２の部材と、前記第１の部材に対して前記透明性カバーと反対側に設けられ、前記発光ダイードの電源を収容する空間を形成する第３の部材と
を有し、前記第２の部材の前記発光ダイオード側の面は、前記発光ダイオードからの光を前記透光性カバーに指向する姿勢で配置され、前記発光ダイオード側の面の少なくとも一部は光反射特性を有する曲面になっている。【００１３】
好適には第１の発明の前記第２の部材は、前記第１の部材から前記透光性カバーに向けて延在する第４の部材と、前記第４の部材の前記第１の部材と反対側の端部から前記透明性カバーと対向して延在する第５の部材とを有し、前記曲面は、前記第４の部材に形成されている。【００１４】
好適には、前記第５の部材は、前記透光性カバーと対向して位置し、前記発光ダイオードからの光のうち前記透光性カバーの内面で反射した光を反射して前記透光性カバーを通過させる反射面を有する。【００１５】
第２の発明の照明装置は、発光ダイオードと、前記発光ダイオードからの光を透光する透光性カバーと、前記発光ダイオードが搭載された伝熱性の基板と、前記基板を支持する伝熱性の第１の部材と、前記第１の部材から前記透光性カバーに向けて延び前記第１の部材からの熱を伝達する第２の部材と、前記第１の部材に対して前記透明性カバーと反対側に設けられ、前記発光ダイードの電源を収容する空間を形成する第３の部材とを有し、前記第２の部材の前記発光ダイオード側の面は、前記発光ダイオードからの光を前記透光性カバーに指向する姿勢で配置され、前記発光ダイオード側の面の少なくとも一部は光反射特性を有する凹凸面になっている。【００１６】
好適には第２の発明の前記第２の部材は、前記第１の部材から前記透光性カバーに向けて延在する第４の部材と、前記第４の部材の前記第１の部材と反対側の端部から前記透明性カバーと対向して延在する第５の部材とを有し、前記凹凸面は、前記第４の部材に形成されている。【００１７】
好適には本発明は、円筒状の前記閉空間の横断面において、前記横断面に沿った前記透光性カバーの中心線上、あるいは当該中心線に対しに線対称に前記発光ダイオードが位置し、前記第２の部材は、前記中心線に対して線対称である。【００１８】
好適には本発明は、円筒状の前記閉空間の横断面において、前記横断面に沿った前記透光性カバーの中心線上、あるいは当該中心線に対しに線対称に前記発光ダイオードが位置し、前記第２の部材は、前記中心線に対して一方の側にのみ設けられている。
【発明の効果】
【００１９】
本発明によれば、高い放熱性と照度を得ることができる照明装置を提供することができる。
【図面の簡単な説明】
【００２０】
【図１】第１実施形態に関わる器具一体式照明装置の断面図である。
【図２】第２実施形態に関わる器具一体式照明装置の断面図である。
【図３】第３実施形態に関わる器具一体式照明装置の断面図である。
【図４】第４実施形態に関わる器具一体式照明装置の断面図である。
【発明を実施するための形態】
【００２１】
上述した目的を達成するために、本発明の実施形態の照明装置は、以下である。
（１）上記［１］の課題を解決する技術
例えば、LED(発光ダイオード１３)本来の配光を、「光の定理と、LED特有の波長別反射率の差異」を考慮した器具デザインとし、LED光の集中・拡散によって、消費電力を変えずに光の照射面の照度（Lx）と、PPFDを1.5〜2.0倍に向上させる。
【００２２】
（２）  上記［２］の課題を解決する技術
LED基板とLED電源を装着する「台板」を、現在市場に出ているスティール(鉄)台板から、用途別形状・サイズや基板の装着角度、連結・接続が可能なデザインとした。また、「台板」をLEDの放熱効果を持つ、金型押し出し成型のアルミニウイム・ヒートシンク台板とする。
【００２３】
（３）上記［３］の課題を解決する技術
「台板」をスティールからアルミニウム金型押し出し成型することで、生産国・生産メーカーによらない、形状・品質が均一のユニバーサル製品とすることを可能とした。
【００２４】
（４）上記［４］の課題を解決する技術
LED基板、LED電源を装着する方法を、現在の「台板」にあらかじめ加工された数十か所に及ぶ取り付け固定用[爪]を使わず、上記［２］のアルミニューム・ヒートシンク台板に金型押し出しの際に加工されたLED基板挿入ホールを利用することで、簡単にLED基板・LED電源を「ワンタッチ」で交換することができる。
【００２５】
以下、本発明の実施形態に係る器具一体式の照明装置を説明する。
本実施形態の器具一体式照明装置では、ＬＥＤ素子が実装される基盤直下のヒートシンク部分と、人体が触れるケース外側の距離を、従来のヒートシンクの２〜３倍以上の長さにすることにより熱伝導効率が良くなり、ＬＥＤ素子が通電される際に発生する熱の放熱効果を高める。
本実施形態ではＬＥＤ素子が実装される基盤直下のヒートシンク構造を、半円形で、かつ、ＬＥＤ素子直下と人体に触れるヒートシンクまでの距離が短い構造ではなく、ＬＥＤ素子直下から、ケース外側までの距離を長くするため，Ｍ形構造とし、熱伝導効率を高め、より放熱を促進する構造とした。
【００２６】
本実施形態の構造では一定の角度で集光反射させるＭ形ヒートシンク(断面)構造としたことで、ＬＥＤ素子から発光する光を反射して所定の方向に指向し、照度向上を図る。
また、Ｍ形構造のヒートシンク(断面)を、配光角度を広角にするために、ＬＥＤ素子側のヒートシンク面を反射効率の高い銀塗装、メッキあるいはクロム処理する。
また、同様に配光角度を広角にするために、ヒートシンクカバーを拡散タイプあるいはプリズムタイプとする。
【００２７】
＜第１実施形態＞
以下、本発明の一実施形態について、添付の図面を参照して具体的に説明する。
図１は器具一体式照明装置１の断面構成図である。
図１に示すように、器具一体式照明装置１は、発光ダイオード１３と、前記発光ダイオード１３からの光を透光する透光性カバー３１と、発光ダイオード１３が搭載された伝熱性の基板１２と、基板１２を支持する伝熱性の第１の部材１７と、第１の部材１７から前記透光性カバー３１に向けて延び第１の部材１７からの熱を伝達する第２の部材１９と、第１の部材１７に対して前記透明性カバー３１と反対側に設けられ、前記発光ダイード１３の電源を収容する空間を形成する第３の部材４０とを有する。
【００２８】
上記電源を収容する空間には、電源以外に発光ダイオード１３の動作に係る器具や配線が収容される。
第１の部材１７および第２の部材１９はヒートシンクである。
第３の部材４０は、伝熱性の部材でもよい。
【００２９】
器具一体式照明装置１は、図２に示す紙面直交方向に複数の発光ダイオード１３を所定間隔で配置している。
【００３０】
第２の部材１９は、第１の部材１７から透光性カバー３１に向けて延在する第４の部材１９１と、第４の部材１９１の第１の部材１７と反対側の端部から透明性カバー３１と対向して延在する第５の部材１９３とを有する。
【００３１】
第４の部材１９１の発光ダイオード１３側の反射面１９ａは、光反射特性（例えば、銀塗装）を有する。
第４の部材１９１は、発光ダイオード１３からの光を前記透光性カバー３１に向けて反射する姿勢に保持されている。
【００３２】
透明性カバー３１を通して外に向けて放出される光は、例えば、照射角度；１２０度から１８０度、２０００〜３０００ｌｍである。
【００３３】
例えば、発光ダイオード１３側の反射面１９ａの仰角を５０度から７５度に、さらに発光ダイオード１３の配置端と第４の部材１９１との間隔を０．１〜５．０ｍｍに、第４の部材１９１の高さを発光ダイオード１３の幅の例えば５倍以上、例えば１０ｍｍ〜２０ｍｍに設定することにより、広い照射角度で光量のロスを無くし、照度やＰＰＦＤを向上させることができる。発光ダイオード１３により照射される照度は例えば、１．５〜２．０倍を得る。なお、反射面１９ａの基板１２に対して仰角、発光ダイオード１３部と第４の部材１９１との間隔、第４の部材１９１の高さは、ＬＥＤ照明装置の直径等のサイズに応じて可変されてもよい。
【００３４】
第４の部材１９１の発光ダイオード１３側の反射面１９ａは、光反射特性を有し、中心線６１に向けて凸になる曲面になっている。当該曲面の曲率は、要求される光指向性に応じて適宜決定される。
このように反射面１９ａを凸状の曲面にしたことで、反射面１９ａを平面にした場合で得られない光反射指向性を持たせることができる。すなわち、発光ダイオード１３からの光に所望の拡散反射効果を持たせることができ、均一な光を放出できる。
【００３５】
すなわち、発光ダイオード１３の発光照度を従来の蛍光管と同等あるいはそれ以上に向上させるため、第３のヒートシンク１９の反射面１９ａの全反射率を８０％以上にする。具体的には、反射面１９ａに、例えば銀メッキ、銀塗装、クロム処理等を施す。また、この時の照度は、「明るさは光源と照斜面までの距離の二乗に反比例する」という、「光の明るさの定理」に基づき、発光ダイオード１３と第４の部材１９１との間の距離Ｓは、例えば０．１から５．０ｍｍである。
【００３６】
本実施形態では、光が放出される方向から発光ダイオード１３を見た場合に、両側の反射面１９ａで反射した発光ダイオード１３の像が擬似的な発光ダイオードとして視認される。
【００３７】
その時の発光ダイオード１３の照度は、例えば、３０〜８０ｌｘ／ｗである。
【００３８】
第５の部材１９３は、透明性カバー３１と対向する部分を有する。
第５の部材１９３も銀塗装等で反射特性を有する反射面を備え、透光性カバー３１で反射された光をさらに反射して透光性カバー３１の外側に出す。これにより明るさを大幅に向上できる。すなわち、透光性カバー３１と第５の部材１９３との間に形成された空間６０内に入った光を第５の部材１９３の反射面で反射して、空間６０に対向する透光性カバー３１から外側に向けて透過することで光を広角に放射できる。
【００３９】
透光性カバー３１と第５の部材１９３との間は隙間６０がある。隙間の大きさは、非常に小さいか、ある程度の大きさを有している。
【００４０】
器具一体式照明装置１は、線６１に対して左右対称である。
【００４１】
器具一体式照明装置１では、発光ダイオード１３で発生した熱が、基板１２、第１の部材１７および第２の部材１９を介して伝達され、放熱される。第３の部材４０が伝熱性の部材であれば、これをも介して放熱される。
また、発光ダイオード１３からの光は、第４の部材１４１の発光ダイオード１３側の面で反射されて透光性カバー３１を介して放熱される。
【００４２】
第４の部材１９１の反射面１９ａには、反射効率を高める処理（銀塗装等）を処理することにより、放熱効果と反射効果を高めることができる。
【００４３】
第１の部材１７、第２の部材１９はセラミック部材の他、これらのうち少なくとも一つを合成樹脂を用いて形成してもよい。
【００４４】
本実施形態の反射効率の高める処理は、銀塗装、銀メッキあるいはこれに準ずる塗装であり、銀塗装の場合、全反射率は９０％程度まで向上させることができる。また、反射材とヒートシンクのマッチングが不要となり、品質向上を図れる。
【００４５】
第３の部材４０によって形成される空間には、発光ダイオード１３に電力を供給する電源が設置される。当該電源は、発光ダイオード１３によって形成される空間の底部の位置に設けられる。
【００４６】
本実施形態では、上記電源として、ユニバーサル電源を使用した。１００個のＬＥＤ素子（チップ）を１００個接続した。ＡＣタイプの入力電圧（ＡＣ）は、２０Ｗ、９０Ｖ〜２６４Ｖａｃである。電源に電池を使用して駆動させることができる。また、本実施形態のＬＥＤ照明装置は、５Ｖ等の単一電源で駆動させることはできる。駆動電源は、電池；１．５Ｖ×ｎ個を用いてもよい。このような電源を用いても、発光ダイオード１３から発光した光に指向性を持たせて該光をＬＥＤ照明管から管外に照射させるための光指向形成面と、ＬＥＤ素子に面する側の集光反射面に前記実装された発光ダイオード１３の擬似ＬＥＤ素子を映し出す擬似ＬＥＤ素子形成面を備えることができる。
【００４７】
ＡＣ電源等の駆動装置は、ＬＥＤ照明管内に設けられ、かつＬＥＤ光源から放射される光と干渉しない位置に配設されることが好ましい。発光ダイオードの光源以外の電源等の電子部品については、その全部又は一部を基板の表面側でなく裏面側に配置してもよいが、基板１２の表面側に備えれば、ＬＥＤ照明装置内で基板の設置位置をより裏側に配置することが可能となり基板の表面側の内部空間を広くとることができる。
【００４８】
ここで、発光ダイオード式照明装置の発光ダイオード１３を駆動する順方向電圧；少なくとも１．５Ｖ〜４．５ＶをＬＥＤ素子を印加して発光ダイオード式照明装置を駆動し、前記基板に実装されたＬＥＤ素子から発光される光の方向から該基板に実装されたＬＥＤ素子方法を見た際に、前記擬似ＬＥＤ形成面に擬似ＬＥＤ素子が映し出される。なお、擬似ＬＥＤ素子は、ＬＥＤ素子が発光すれば、前記擬似ＬＥＤ形成面に擬似ＬＥＤ素子が映し出されることが好ましい。前記駆動電圧は、単一電源で駆動することが好ましい。
【００４９】
以上説明したように、器具一体式照明装置１は、第２の部材１９の第４の部材１９１の反射面１９ａを凸状の曲面にしたことで、透光性カバー３１の広範囲に均一は光を拡散できる。透光性カバー３１の光透過率は、たとえば、９５％以上である。
【００５０】
また、器具一体式照明装置１では、図１に示す形状の第２の部材１９を用いたことで、発光ダイオード１３と外部シートシンク３３の外周面（人体が触れる部分）迄の距離長くできる（２倍以上に長くできる）。
これにより、高い放熱効果を得ることができ、例えば、ヒートシンクの素材をアルミニウムにした場合、人体の触れる部分の熱を安全な温度（例えば４０℃程度）とすることができる。
なお、本実施形態のヒートシンクの素材は、熱伝導効率に優れているアルミニウムあるいは銅が一般的である。
【００５１】
＜第２実施形態＞
図２は、本発明の第２実施形態の器具一体式照明装置の断面図である。
図２に示すように、本実施形態では、第４の部材１９１の発光ダイオード１３側の反射面１１９ａは、光反射特性を有し、中心線６１に対して凹状の曲面になっている。当該曲面の曲率は、要求される光指向性に応じて適宜決定される。
このように反射面１１９ａを凹状の曲面にしたことで、反射面１１９ａを平面にした場合で得られない光反射指向性を持たせることができる。すなわち、発光ダイオード１３からの光に所望の拡散反射効果を持たせることができ、均一な光を放出できる。
本実施形態によっても第１実施形態と同様の効果が得られる。
【００５２】
＜第３実施形態＞
図３は、本発明の第３実施形態の器具一体式照明装置の断面図である。
図３に示すように、本実施形態では、第４の部材１９１の発光ダイオード１３側の反射面２１９ａの全体あるいは一部は、光反射特性を有し、多数の凹凸が形成されている。当該凹凸の形状、大きさ、間隔、数は、要求される光特性に応じて適宜決定される。
このように反射面２１９ａを複数（多数）の凹凸を形成した面にしたことで、反射面２１９ａを平面にした場合で得られない光反射指向性を持たせることができる。すなわち、発光ダイオード１３からの光に所望の拡散反射効果を持たせることができ、均一な光を放出できる。
本実施形態によっても第１実施形態と同様の効果が得られる。
【００５３】
＜第４実施形態＞
図４は、本発明の第４実施形態の器具一体式照明装置の断面図である。
図４に示すように、本実施形態では、第４の部材１９１は、中心線６１の一方にのみ形成される。
本実施形態の直管形発光ダイオード式照明灯が、複数の直管形発光ダイオード式照明灯を並列に並べて設置した場合に端部に配置するものとして用いられる。本実施形態では、一方向の光量を高めることができる。
【００５４】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
例えば、上述した実施形態では、透光性カバー３１として曲面形状のものを例示したが、平面形状でもよい。
【００５５】
また、上述した実施形態では、断面方向において、基板１２に１つの発光ダイオード１３を搭載した場合を例示したが、２つ以上の発光ダイオード１３を並べて搭載してもよい。
【産業上の利用可能性】
【００５６】
本発明は、器具一体式照明装置に適用可能である。
【符号の説明】
【００５７】
１…器具一体式照明装置
１２…基板
１３…発光ダイオード
１７…第１の部材
１９…第２の部材
１９１…第４の部材
１９３…第５の部材
１９ａ，１１９ａ，２１９ａ…反射面
３１…透光性カバー
４０…第３の部材
【図１】
2017002960.tif 000003
【図２】
2017002960.tif 000004
【図３】
2017002960.tif 000005
【図４】
2017002960.tif 000006
【国際調査報告】
2017002960.tif 000007
2017002960.tif 000008
2017002960.tif 000009
2017002960.tif 000010